(57)【特許請求の範囲】
【請求項１】
表示パネルに表示する表示画面および表示モードに応じた電圧出力信号を前記表示パネルに提供する電圧出力システムであって、
前記電圧出力システムは、
複数の第一制御信号と、前記複数の第一制御信号にそれぞれ対応する周期及び電圧レベルの電圧出力信号と、の組み合わせがプリセットされていて、入力される前記第一制御信号に従った前記電圧出力信号を出力する第一電圧出力チップと、
前記第一電圧出力チップと接続され、前記第一電圧出力チップが出力する電圧を制御する電圧出力制御システムと、を備え、
前記電圧出力制御システムは、
書き換え可能なメモリーからなる記憶装置と、
制御装置と、を備え、
前記記憶装置には、前記表示パネルに表示する前記表示画面および前記表示モードを指示する複数種類の表示信号と、前記複数種類の表示信号のそれぞれに要求される周期及び電圧レベルの前記電圧出力信号に対応したデフォルトコマンドと、の組み合わせが第一組デフォルトコマンドとして設定記憶されており、
前記制御装置は、
受信ユニットと、
呼び出しユニットと、
取得ユニットと、
記録ユニットと、
判定ユニットと、
制御ユニットと、を備え、
前記受信ユニットは、外部から入力される前記表示信号を受信し、
前記呼び出しユニットは、前記記憶装置内から前記第一組デフォルトコマンドの中から前記受信ユニットが受信した前記表示信号に対応する前記デフォルトコマンドを呼び出し、
前記取得ユニットは、前記第一電圧出力チップが出力する電圧出力信号を取得し、
前記記録ユニットには、前記第一電圧出力チップの各電圧周期に対応する各基準電圧の組みである第一組基準電圧が記録されており、
前記判定ユニットは、前記取得ユニットが取得した前記電圧出力信号の電圧レベルと、前記記録ユニットに記録されている前記基準電圧と、を周期ごとに対比し、前記取得ユニットが取得した前記電圧出力信号の電圧レベルと、前記記録ユニットに記録されている前記基準電圧と、が整合しない場合には、第一調整信号を前記制御ユニットへ出力し、
前記制御ユニットは、前記呼び出しユニットが呼び出した前記デフォルトコマンドにさらに前記判定ユニットから受信した前記第一調整信号を加味して第一制御信号を前記第一電圧出力チップへ出力し、それにより、前記第一電圧出力チップに、前記表示信号に対応する前記電圧出力信号を出力させる
ことを特徴とする電圧出力システム。
【請求項２】
請求項１に記載の電圧出力システムにおいて、
前記記憶装置は、フラッシュメモリーである
ことを特徴とする電圧出力システム。
【発明の詳細な説明】
【技術分野】
【０００１】
本発明は２０１５年３月１９日に提出した申請番号２０１５１０１２０９２９．２・発明名称「電圧出力制御システムと電圧出力システム」の先願優先権を要求し、前記先願の内容は引用で本文中に合併される。
本発明は、電子分野に関し、特に電圧出力制御システムと電圧出力システムに関する。
【背景技術】
【０００２】
現在、電圧出力チップ（例えば、電源管理チップ及びＰ−ガンマチップ）は、表示パネルに対して、電圧を提供するのに用いられている。電源管理チップとＰ−ガンマチップ内に記憶されたデータは、いずれも、外部から電源管理チップとＰ−ガンマチップ内の記憶されたモジュール内へ書き込まれるため、電源管理チップとＰ−ガンマチップ内のデータは、再度書き込みができなくなり、表示パネルが、前記電源管理チップとＰ−ガンマチップが提供する電圧に対して、より多くの要求をする場合でも、電源管理チップとＰ−ガンマチップは、表示パネルの要求を満たすことができない。
【発明の概要】
【発明が解決しようとする課題】
【０００３】
本発明は、表示パネルの電圧の異なる要求に対してこたえ、電圧出力チップが出力する電圧を制御することができる、電圧出力制御システムを提供することを目的とする。
【０００４】
また、本発明は、電圧出力システムを提供することを目的とする。
【課題を解決するための手段】
【０００５】
上記目的を実現させるために、本発明の実施例は、以下の技術案を提供する。
【０００６】
本発明による電圧出力制御システムは、電圧出力チップが出力する電圧を制御するのに用いられ、前記電圧出力制御システムは、制御装置と記憶装置を備え、前記記憶装置内には、複数のデフォルトコマンドが記憶され、前記制御装置は、前記記憶装置と前記電圧出力チップに接続され、前記制御装置は、さらに、表示信号を受信することによって、受信した表示信号に基づいて、前記記憶装置内から、対応するデフォルトコマンドを呼び出すとともに、呼び出された対応するデフォルトコマンドに基づいて、前記電圧出力チップによる対応する電圧の出力を制御するのに用いられる。
【０００７】
そのうち、前記制御装置は、受信ユニットと、呼び出しユニットと、制御ユニットを備え、前記受信ユニットは、前記表示信号を受信するのに用いられ、前記呼び出しユニットは、前記表示信号に基づいて、前記記憶装置内から、対応するデフォルトコマンドを呼び出すのに用いられ、前記制御ユニットは、呼び出されたデフォルトコマンドに基づいて、対応する制御信号を前記電圧出力チップへ出力し、それにより、前記電圧出力チップに、対応する電圧を出力させるのに用いられる。
【０００８】
そのうち、前記制御装置は、さらに、取得ユニットと、記録ユニットと、判定ユニットを備え、前記取得ユニットは、前記電圧出力チップが出力する電圧を取得するのに用いられ、前記記録ユニットは、複数の基準電圧を記録するのに用いられ、各基準電圧は、前記電圧出力チップの一つの電圧周期に対応し、前記判定ユニットは、取得した電圧が、対応する周期の基準電圧と整合するかどうか判定するとともに、取得した電圧が、対応する基準電圧と整合しない場合、調整信号を前記制御ユニットへ出力するのに用いられ、前記制御ユニットは、さらに、前記調整信号に基づいて、調整信号を、前記電圧出力チップへ出力し、それにより、前記電圧出力チップが出力する電圧を、対応する周期の基準電圧に調整するのに用いられる。
【０００９】
そのうち、前記制御装置は、タイマ制御レジスタチップである。
【００１０】
そのうち、前記記憶装置は、フラッシュメモリーである。
【００１１】
本発明は、さらに、電圧出力システムを提供し、第一電圧出力チップと電圧出力制御システムを備え、前記電圧出力制御システムは、前記第一電圧出力チップと接続されることによって、前記第一電圧出力チップが出力する電圧を制御し、前記電圧出力制御システムは、制御装置と記憶装置を備え、前記記憶装置内には、第一組デフォルトコマンドが記憶され、前記制御装置は、前記記憶装置と前記第一電圧出力チップに接続され、前記制御装置は、さらに、表示信号を受信することによって、受信した表示信号に基づいて、前記記憶装置内から、第一組デフォルトコマンドにおいて対応するデフォルトコマンドを呼び出すとともに、呼び出された対応するデフォルトコマンドに基づいて、前記第一電圧出力チップによる対応する電圧の出力を制御するのに用いられる。
【００１２】
そのうち、前記制御装置は、受信ユニットと、呼び出しユニットと、制御ユニットを備え、前記受信ユニットは、前記表示信号を受信するのに用いられ、前記呼び出しユニットは、前記表示信号に基づいて、前記記憶装置内から、第一組デフォルトコマンドにおいて対応するデフォルトコマンドを呼び出すのに用いられ、前記制御ユニットは、呼び出されたデフォルトコマンドに基づいて、対応する第一制御信号を前記第一電圧出力チップへ出力し、それにより、前記第一電圧出力チップに、対応する電圧を出力させるのに用いられる。
【００１３】
そのうち、前記制御装置は、さらに、取得ユニットと、記録ユニットと、判定ユニットを備え、前記取得ユニットは、前記第一電圧出力チップが出力する電圧を取得するのに用いられ、前記記録ユニットは、第一組基準電圧を記録するのに用いられ、前記第一組基準電圧における各基準電圧は、前記第一電圧出力チップの一つの電圧周期に対応し、前記判定ユニットは、取得した前記第一電圧出力チップが出力する電圧が、対応する周期の基準電圧と整合するかどうか判定するとともに、取得した前記第一電圧出力チップが出力する電圧が、対応する周期の基準電圧と整合しない場合、第一調整信号を、前記制御ユニットへ出力するのに用いられ、前記制御ユニットは、さらに、前記第一調整信号に基づいて、第一調整信号を、前記第一電圧出力チップへ出力し、それにより、前記第一電圧出力チップが出力する電圧を、対応する周期の基準電圧に調整するのに用いられる。
【００１４】
そのうち、前記電圧出力システムは、さらに、第二電圧出力チップを備え、前記記憶装置内には、さらに、第二組デフォルトコマンドが記憶され、前記制御装置は、さらに、第二電圧出力チップと接続され、前記制御装置は、さらに、受信した表示信号に基づいて、前記記憶装置内から、第二組デフォルトコマンドにおいて対応するデフォルトコマンドを呼び出すとともに、前記呼び出された対応するデフォルトコマンドに基づいて、前記第二電圧出力チップによる対応する電圧の出力を制御するのに用いられる。
【００１５】
そのうち、前記呼び出しユニットは、さらに、前記表示信号に基づいて、前記記憶装置内から、第二組デフォルトコマンドにおいて対応するデフォルトコマンドを呼び出すのに用いられ、前記制御ユニットは、さらに、呼び出されたデフォルトコマンドに基づいて、第二制御信号を前記第二電圧出力チップへ出力し、それにより、前記第二電圧出力チップに、対応する電圧を出力させるのに用いられる。
【００１６】
そのうち、前記取得ユニットは、前記第二電圧出力チップが出力する電圧を取得するのに用いられ、前記記録ユニットは、第二組基準電圧を記録するのに用いられ、第二組基準電圧における各基準電圧は、前記第二電圧出力チップの一つの電圧周期に対応し、前記判定ユニットは、さらに、取得した前記第二電圧出力チップが出力する電圧が、対応する周期の基準電圧と整合するかどうか判定するとともに、取得した前記第二電圧出力チップが出力する電圧が、対応する周期の基準電圧と整合しない場合、第二調整信号を、前記制御ユニットへ出力するのに用いられ、前記制御ユニットは、さらに、前記第二調整信号に基づいて、第二調整信号を前記第二電圧出力チップへ出力し、それにより、前記第二電圧出力チップが出力する電圧を、対応する周期の基準電圧に調整するのに用いられる。
【００１７】
そのうち、前記第一電圧出力チップは、電源管理チップであり、前記第二電源出力電圧は、Ｐ−ガンマチップである。
【００１８】
そのうち、前記制御装置は、タイマ制御レジスタチップである。
【００１９】
そのうち、前記記憶装置は、フラッシュメモリーである。
【００２０】
本発明は、電圧出力制御システムを提供し、電圧出力チップが出力する電圧を制御するのに用いられ、前記電圧出力制御システムは、制御装置と記憶装置を備え、前記記憶装置内には、複数のデフォルトコマンドが記憶され、前記制御装置は、前記記憶装置と前記電圧出力チップに接続され、前記制御装置は、さらに、表示信号を受信することによって、受信した表示信号に基づいて、前記記憶装置内から、対応するデフォルトコマンドを呼び出すとともに、呼び出された対応するデフォルトコマンドに基づいて、前記電圧出力チップによる対応する電圧の出力を制御するのに用いられる。したがって、前記電圧出力チップが出力する電圧は、表示パネルの表示信号に基づいて、調整を行うことができる。それにより、前記表示パネルに必要な電圧を出力することができる。
【図面の簡単な説明】
【００２１】
本発明の技術案をさらに理解するために、以下では、実施例における記述に必要な図面について、簡単に説明を行う。当然のことながら、以下の図面は、本発明の一部の実施例に過ぎず、本分野の一般の技術者は、創造性のある労働をせずとも、これらの図面をもとに、その他の図面を考えだすことができる。
【図１】本発明の第一案の実施例１が提供する電圧出力制御システムの応用ブロック図である。
【図２】本発明の第一案の実施例２が提供する電圧出力制御システムの応用ブロック図である。
【図３】本発明の第二案の好ましい実施例１が提供する電圧出力システムの応用ブロック図である。
【図４】本発明の第二案の好ましい実施例２が提供する電圧出力システムの応用ブロック図である。
【発明を実施するための形態】
【００２２】
以下では、図と実施例を用いて本発明の説明を行う。本発明の実施例における技術案について、更に詳細な説明を行う。
【００２３】
注意すべき点として、部品或いは層が、別の部品或いは層の"上"に配置される、別の部品或いは層に"接続される"或いは"カップリングされる"と称される場合は、部品或いは層は、別の部品或いは層上に直接配置することもできるし、別の部品或いは層に直接接続する、或いは、カップリングすることもできるし、或いは、中間の部品或いは層を存在させることもできる。反対に、部品が、別の部品或いは層上に、"直接"配置される、別の部品或いは層に"直接接続される"或いは"直接カップリングされる"と称される場合は、中間の部品或いは層は存在しない。同じ符号表記は、全て同じ部品を指す。ここで使用される専門用語"及び／或いは"は、一つ或いは複数の列挙した関連項目のあらゆる及び全ての組み合わせを含む。
【００２４】
注意すべき点として、ここでは、専門用語の第一、第二等を使用して、各種部品、モジュール、領域、層、及び／或いはその一部を説明することができるが、これらの部品、モジュール、領域、層、及び／或いはその一部は、これらの専門用語の制限を受けてはならない。これらの専門用語は、部品、モジュール、領域、層、或いはその一部を、別の部品、モジュール、領域、層、或いはその一部と区別するためだけに用いられる。従って、以下で論じる第一部品、モジュール、領域、層、或いはその一部を、第二部品、モジュール、領域、層、或いはその一部に言い換えることができ、その場合でも、本発明の主旨とは反しない。
【００２５】
説明しやすくするために、ここでは、例えば、"〜の下に"、"〜の下方に"、"下"、"〜の上で"、"上"等の空間の相対性の専門用語を使用して、図面が示す部品或いは、特性と、別の（いくつかの）部品或いは特性との関係を説明することができる。注意すべき点として、空間的相関性の専門用語は、図面が示す方向以外に、デバイスの使用或いは操作においての異なる方向を含む。例えば、もし、図面におけるデバイスが反転された場合、その他の部品或いは特性"〜の下に"或いは、"〜下方に""配置される"部品、という記述が、その他の部品、或いは特性の"上方"という記述になる。したがって、例を示す専門用語"〜の下方に"は、"〜の上"と"〜の下"の二種類の方向を含むことができる。デバイスは、別の方向の方式（９０度或いはその他方向に回転）を用いてもよく、ここで用いる空間の相対性の記述子は、それに対応するように解釈される。
【００２６】
ここで用いる専門用語は、特定の実施例を説明するために過ぎず、本説明を制限するものではない。ここで使用する場合、前後の文に別途明確な記載がない限りは、単数形"一"と"前記"は、複数形も含むものとする。さらに注意すべき点として、本明細書において使用する際、専門用語"からなる"及び／或いは"備える"は、前記特性、全体、手順、操作、部品及び／或いはモジュールの存在を示しているが、一つの或いは、複数のその他特性、全体、手順、操作、部品、モジュール及び／或いはその組み合わせの存在、或いは、増加を排除するものではない。
【００２７】
別途定義しない限り、ここで使用する全ての専門用語（技術専門用語と科学専門用語）は、本発明の分野内の一般の技術者が通常理解できる意味を具えるものとする。
さらに注意が必要な点として、例えば、一般的な辞書で定義されている専門用語は、ここで明確に定義されている場合を除き、関連する領域の言語環境における意味と互いに一致する意味を具えるものとして解釈されるべきであり、理想化或いは過度に形式化された意味として解釈されるべきでない。
【００２８】
（実施例１）
図１を参照する。本発明の第一案の実施例１は、電圧出力制御システム１００を提供する。前記電圧出力制御システム１００は、電圧出力チップ１０００が出力する電圧を制御するのに用いられる。前記電圧出力制御システム１００は、制御装置１０と記憶装置２０を備える。前記記憶装置２０内には、複数のデフォルトコマンドが記憶される。前記制御装置１０は、前記記憶装置２０と前記電圧出力チップ１０００に接続される。前記制御装置１０は、さらに、表示信号を受信することによって、受信した表示信号に基づいて、前記記憶装置２０内から、対応するデフォルトコマンドを呼び出すとともに、呼び出された対応するデフォルトコマンドに基づいて、前記電圧出力チップ１０００による対応する電圧の出力を制御するのに用いられる。    
【００２９】
説明が必要な点は、以下の通りである。前記制御装置１０は、二線式シリアルバスによって、前記記憶装置２０と前記電圧出力チップ１０００に接続される。前記記憶装置２０内に記憶された複数のデフォルトコマンドは、事前に記録したものである。前記制御装置１０、前記記憶装置２０及び前記電圧出力チップ１０００を通電する過程において、先ず、３，３Ｖと１，２Ｖ電圧を出力し、前記制御装置１０及び前記記憶装置２０を開く。前記表示信号は、表示パネルから来る。前記表示信号は、画面信号と、モード状態信号等を含む。
【００３０】
本実施例において、前記電圧出力制御システム１００は、制御装置１０と記憶装置２０を備える。前記記憶装置２０内には、複数のデフォルトコマンドが記憶される。前記制御装置１０は、前記記憶装置２０と前記電圧出力チップ１０００に接続される。前記制御装置１０は、さらに、表示信号を受信することによって、受信した表示信号に基づいて、前記記憶装置２０内から、対応するデフォルトコマンドを呼び出すとともに、呼び出された対応するデフォルトコマンドに基づいて、前記電圧出力チップ１０００による対応する電圧の出力を制御するのに用いられる。したがって、前記電圧出力チップ１０００が出力する電圧は、表示パネルの表示信号に基づいて、調整を行うことができる。それにより、前記表示パネルに必要な電圧を出力することができる。  
【００３１】
具体的には、前記制御装置１０は、受信ユニット１１と、呼び出しユニット１２と、制御ユニット１３を備える。前記受信ユニット１１は、前記表示信号を受信するのに用いられる。前記呼び出しユニット１２は、前記表示信号に基づいて、前記記憶装置２０内から、対応するデフォルトコマンドを呼び出すのに用いられる。前記制御ユニット１３は、呼び出されたデフォルトコマンドに基づいて、対応する制御信号を前記電圧出力チップ１０００へ出力し、それにより、前記電圧出力チップ１０００に、対応する電圧を出力させるのに用いられる。
【００３２】
本実施例において、前記制御装置１０は、タイマ制御レジスタチップであり、前記記憶装置２０は、フラッシュメモリーである。
【００３３】
（実施例２）
図２を参照する。本発明の第一案の実施例２は、電圧出力制御システム２００を提供する。前記実施例２が提供する電圧出力制御システム２００は、実施例１が提供する電圧出力制御システム１００と類似し、両者の異なる点は、以下の通りである。実施例２において、前記制御装置２１０は、さらに取得ユニット２１１と、記録ユニット２１２と、判定ユニット２１３と、からなる。前記取得ユニット２１１は、前記電圧出力チップ１０００が出力する電圧を取得するのに用いられる。前記記録ユニット２１２は、複数の基準電圧を記録するのに用いられる。各基準電圧は、前記電圧出力チップ１０００の一つの電圧周期に対応する。前記判定ユニット２１３は、取得した電圧が、対応する周期の基準電圧と整合するかどうか判定するとともに、取得した電圧が、対応する周期の基準電圧と整合しない場合、調整信号を前記制御ユニット１３へ出力するのに用いられる。前記制御ユニット１３は、さらに、前記調整信号に基づいて、制御信号を前記電圧出力チップ１０００へ出力し、それにより、前記電圧出力チップ１０００が出力する電圧を、対応する周期の基準電圧に調節するのに用いられる。
【００３４】
説明が必要な点は、以下の通りである。前記電圧出力チップ１０００は、複数の電圧周期を具え、各電圧周期は、対応するデフォルト電圧を出力する必要がある。したがって、各電圧周期に対応するデフォルト電圧は、前記記録ユニット２１２内に、基準電圧として記録される。
【００３５】
本実施例において、前記記録ユニット２１２は、複数の基準電圧を記録するのに用いられる。各基準電圧は、前記電圧出力チップ１０００の一つの電圧周期に対応する。前記判定ユニット２１３は、取得した電圧が、対応する周期の基準電圧と整合するかどうか判定するとともに、取得した電圧が、対応する周期の基準電圧と整合しない場合、調整信号を、前記制御ユニット１３へ出力するのに用いられる。前記制御ユニット１３は、さらに、前記調整信号に基づいて、調整信号を前記電圧出力チップ１０００へ出力し、それにより、前記電圧出力チップ１０００が出力する電圧を、対応する周期の基準電圧に調節するのに用いられる。このように、本実施例は、応答メカニズムを構築することにより、前記電圧出力チップ１０００が、各周期にて出力する電圧が正確であることを保証することができる。
【００３６】
図３を参照する。本発明の第二案の好ましい実施例は、電圧出力システム３００を提供する。前記電圧出力システム３００は、第一電圧出力チップ３１０と電圧出力制御システム３２０を備える。前記電圧出力制御システム３２０は、前記第一電圧出力チップ３１０と接続されることによって、前記第一電圧出力チップ３１０が出力する電圧を制御する。前記電圧出力制御システム３２０は、制御装置３２１と記憶装置３２２を備える。前記記憶装置３２２内には、第一組のデフォルトコマンドが記憶される。前記制御装置３２０は、前記記憶装置３２２と前記第一電圧出力チップ３１０に接続される。前記制御装置３２１は、さらに、表示信号を受信することによって、受信した表示信号に基づいて、前記記憶装置３２２内から、第一組デフォルトコマンドにおいて対応するデフォルトコマンドを呼び出すとともに、呼び出された対応するデフォルトコマンドに基づいて、前記第一電圧出力チップ３１０による対応する電圧の出力を制御するのに用いられる。
【００３７】
説明が必要な点は、以下の通りである。前記制御装置３２１は、二線式シリアルバスによって、前記記憶装置３２２と前記第一電圧出力チップ３１０に接続される。前記記憶装置３２２内に記憶された複数のデフォルトコマンドは、事前に記録したものである。前記制御装置３２１、前記記憶装置３２２及び前記第一電圧出力チップ３１０を通電する過程において、先ず、３，３Ｖと１，２Ｖ電圧を出力し、前記制御装置３２１及び前記記憶装置３２２を開く。前記表示信号は、表示パネルから来る。前記表示信号は、画面信号と、モード状態信号等を含む。
【００３８】
本実施例において、前記電圧出力制御システム３２０は、制御装置３２１と記憶装置３２２を備える。前記記憶装置３２２内には、第一組のデフォルトコマンドが記憶される。前記制御装置３２０は、前記記憶装置３２２と前記第一電圧出力チップ３１０に接続される。前記制御装置３２１は、さらに、表示信号を受信することによって、受信した表示信号に基づいて、前記記憶装置３２２内から、第一組デフォルトコマンドにおいて対応するデフォルトコマンドを呼び出すとともに、呼び出された対応するデフォルトコマンドに基づいて、前記第一電圧出力チップ３１０による対応する電圧の出力を制御するのに用いられる。したがって、前記第一電圧出力チップ３１０が出力する電圧は、表示パネルの表示信号に基づいて、調整を行うことができる。それにより、前記表示パネルに必要な電圧を出力することができる。
【００３９】
具体的には、前記制御装置３２１は、受信ユニット３２１１と、呼び出しユニット３２１２と、制御ユニット３２１３と、からなる。前記受信ユニット３２１１は、前記表示信号を受信するのに用いられる。前記呼び出しユニット３２１２は、前記表示信号に基づいて、前記記憶装置３２２内から、第一組デフォルトコマンドにおいて対応するデフォルトコマンドを呼び出すのに用いられる。前記制御ユニット３２１３は、呼び出されたデフォルトコマンドに基づいて、対応する第一制御信号を前記第一電圧出力チップ３１０へ出力し、それにより、前記第一電圧出力チップ３１０に、対応する電圧を出力させるのに用いられる。
【００４０】
本実施例において、前記制御装置３２１は、タイマ制御レジスタチップである。前記記憶装置３２２は、フラッシュメモリーである。
【００４１】
図４を参照する。本発明の第二案の実施例２は、電圧出力システム４００を提供する。前記実施例２が提供する電圧出力システム４００は、実施例１が提供する電圧出力システム３００と類似し、両者の異なる点は、以下の通りである。実施例２において、前記制御装置４１０は、さらに、取得ユニット４１１と、記録ユニット４１２と、判定ユニット４１３と、からなる。前記取得ユニット４１１は、前記第一電圧出力チップ３１０が出力する電圧を取得するのに用いられる。前記記録ユニット４１２は、第一組基準電圧を記録するのに用いられる。前記第一組基準電圧における、各基準電圧は、前記第一電圧出力チップ３１０の一つの電圧周期に対応する。前記判定ユニット４１３は、取得した前記第一電圧出力チップ３１０が出力する電圧が、対応する周期の基準電圧と整合するかどうか判定するとともに、取得した前記第一電圧出力チップ３１０が出力する電圧が、対応する周期の基準電圧と整合しない場合、第一調整信号を、前記制御ユニット３２１３へ出力するのに用いられる。前記制御ユニット３２１３は、さらに、前記第一調整信号に基づいて、第一調整信号を前記第一電圧出力チップ３１０へ出力し、それにより、前記電圧出力チップ３１０が出力する電圧を、対応する周期の基準電圧に調整するのに用いられる。
【００４２】
説明が必要な点は、以下の通りである。前記第一電圧出力チップ３１０は、複数の電圧周期を具える。各電圧周期は、対応するデフォルト電圧を出力する必要がある。したがって、各電圧周期に対応するデフォルト電圧は、前記記録ユニット４１２内に、基準電圧として記録される。
【００４３】
本実施例において、前記記録ユニット４１２は、第一組基準電圧を記録するのに用いられる。前記第一組基準電圧における各基準電圧は、前記第一電圧出力チップ３１０の一つの電圧周期に対応する。前記判定ユニット４１３は、取得した前記第一電圧出力チップ３１０が出力する電圧が、対応する周期の基準電圧と整合するかどうかに判定するとともに、取得した前記第一電圧出力チップ３１０が出力する電圧が、対応する周期の基準電圧と整合しない場合、第一調整信号を、前記制御ユニット３２１３へ出力するのに用いられる。前記制御ユニット３２１３は、さらに、前記第一調整信号に基づいて、第一調整信号を前記第一電圧出力チップ３１０へ出力し、それにより、前記電圧出力チップ３１０が出力する電圧を、対応する周期の基準電圧に調整するのに用いられる。このように、本実施例は、応答メカニズムを構築することにより、前記第一電圧出力チップ３１０が、各周期にて出力する電圧が正確であることを保証することができる。
【００４４】
さらに、前記電圧出力システム４００は、さらに、第二電圧出力チップ４３０を備える。前記記憶装置４２０内にはさらに、第二組デフォルトコマンドが記憶される。前記制御装置４１０は、さらに、前記第二電圧出力チップ４３０と接続される。前記制御装置４１０は、さらに、受信した表示信号に基づいて、前記記憶装置４２０内から、第二組デフォルトコマンドにおいて対応するデフォルトコマンドを呼び出すとともに、前記呼び出された対応するデフォルトコマンドに基づいて、前記第二電圧出力チップ４３０による対応する電圧の出力を制御するのに用いられる。
【００４５】
そのうち、前記制御装置４１０は、二線式シリアルバスによって、前記第二電圧出力チップ４３０と接続される。前記記憶装置４２０内に記憶された第二組デフォルトコマンドは、事前に記録したものである。
【００４６】
本実施例において、前記記憶装置４２０内には、第二組デフォルトコマンドが記憶される。前記制御装置４１０は、前記記憶装置４２０と前記第二電圧出力チップ４３０に接続される。前記制御装置４１０は、さらに、表示信号を受信することによって、受信した表示信号に基づいて、前記記憶装置４２０内から、第二組デフォルトコマンドにおいて対応するデフォルトコマンドを呼び出すとともに、呼び出された対応するデフォルトコマンドに基づいて、前記第二電圧出力チップ４３０による対応する電圧の出力を制御するのに用いられる。したがって、前記第二電圧出力チップ４３０が出力する電圧は、表示パネルの表示信号に基づいて、調整を行うことができる。それにより、前記表示パネルに必要な電圧を出力することができる。
【００４７】
具体的には、前記呼び出しユニット３２１２は、さらに、前記表示信号に基づいて、前記記憶装置４２０内から、第二組デフォルトコマンドにおいて対応するデフォルトコマンドを呼び出すのに用いられる。前記制御ユニット３２１３は、さらに、呼び出されたデフォルトコマンドに基づいて、第二制御信号を前記第二電圧出力チップ４３０へ出力し、それにより、前記第二電圧出力チップ４３０に、対応する電圧を出力させるのに用いられる。
【００４８】
前記取得ユニット４１１は、前記第二電圧出力チップ４３０が出力する電圧を取得するのに用いられる。前記記録ユニット４１２は、第二組基準電圧を記録するのに用いられる。第二組基準電圧における各基準電圧は、前記第二電圧出力チップ４３０の一つの電圧周期に対応する。前記判定ユニット４１３は、さらに、取得した前記第二電圧出力チップ４３０が出力する電圧が、対応する周期の基準電圧と整合するかどうか判定するとともに、取得した前記第二電圧出力チップ４３０が出力する電圧が、対応する周期の基準電圧と整合しない場合、第二調整信号を、前記制御ユニット３２１３へ出力するのに用いられる。前記制御ユニット３２１３は、さらに、前記第二調整信号に基づいて、第二調整信号を前記第二電圧出力チップ４３０へ出力し、それにより、前記第二電圧出力チップ４３０が出力する電圧を、対応する周期の基準電圧に調整するのに用いられる。
【００４９】
本実施例において、前記第一電圧出力チップ４１０は、電源管理チップである。前記第二電源出力電圧４３０は、Ｐ−ガンマチップである。
【００５０】
以上前記の内容は、本発明の好ましい実施例に過ぎず、本技術領域の一般的な技術者は、本発明の原理を逸脱しないという前提のもと、若干の改良と修正を行うことができ、これらの改良と修正も本発明の保護範囲と見なす。
【符号の説明】
【００５１】
１０      制御装置
１１      受信ユニット
１２      呼び出しユニット
１３      制御ユニット
１００    電圧出力制御システム
１０００  電圧出力チップ
２０      記憶装置
２００    電圧出力制御システム
２１０    制御装置
２１１    取得ユニット
２１２    記録ユニット
２１３    判定ユニット
３００    電圧出力システム
３１０    第一電圧出力チップ
３２０    電圧出力制御システム
３２１    制御装置
３２１１  受信ユニット
３２１２  呼び出しユニット
３２１３  制御ユニット
３２２    記憶装置
４００    電圧出力システム
４１０    制御装置
４１１    取得ユニット
４１２    記録ユニット
４１３    判定ユニット
４２０    記憶装置
４３０    第二電圧出力チップ
【図１】
0006662889.tif 000002
【図２】
0006662889.tif 000003
【図３】
0006662889.tif 000004
【図４】
0006662889.tif 000005